(57)【要約】【課題】計器用変成器をガス室に収納することなく密閉形スイッチギヤに取付けられ、かつ部品点数を少なくしてコンパクトで安全性および信頼性を高めること。【解決手段】絶縁物でモールドした変成器１の表面に、接地された導電層２を設け、変成器１の取付け面３の反対側にほぼ平行に、変成器１の主回路充電部４と接続可能で、かつ導電層２から絶縁された少なくとも２つ以上の入力端子５ａ，５ｂを有する構成とする。【選択図】　　図１
2004128268.tif 000002
【特許請求の範囲】
【請求項１】
絶縁物でモールドした変成器の表面に、接地された導電層を設け、
前記変成器の取付け面の反対側にほぼ平行に、前記変成器の主回路充電部と接続可能で、かつ前記導電層から絶縁された少なくとも２つ以上の入力端子を有する構成としたことを特徴とする変成器。
【請求項２】
変成器の表面に、接地された導電層を設け、前記変成器の取付け面の反対側にほぼ垂直に、前記変成器の主回路充電部と接続可能で、かつ前記導電層から絶縁された少なくとも１つ以上の入力端子を有する変成器と、
前記変成器の入力端子と接続可能で、かつ両端に母線接続可能な端子を有する母線接続ユニットとの対で構成したことを特徴とする計器用変成器。
【請求項３】
前記請求項１または請求項２に記載の変成器を、密閉形スイッチギヤ本体の母線の相間寸法に合わせて当該母線に接続して成ることを特徴とする密閉形スイッチギヤ。
【請求項４】
前記請求項３に記載の密閉形スイッチギヤにおいて、
前記変成器を、前記密閉形スイッチギヤ本体の天井部に配置したことを特徴とする密閉形スイッチギヤ。
【請求項５】
変成器の表面に、接地された導電層を設け、前記変成器の取付け面の反対側にほぼ垂直に、前記変成器の主回路充電部と接続可能で、かつ固体絶縁物により前記導電層から絶縁された少なくとも１つ以上の入力端子を有する変成器と、
密閉形スイッチギヤ本体に気密に取付けられ、前記変成器の入力端子を接続可能で、かつ先端に母線接続可能な母線接続ユニットとを対で構成したことを特徴とする密閉形スイッチギヤ。
【請求項６】
前記請求項１または請求項２に記載の変成器において、
前記変成器を、計器用変圧器、または計器用変流器としたことを特徴とする変成器。
【請求項７】
前記請求項３乃至請求項５のいずれか１項に記載の密閉形スイッチギヤにおいて、
前記計器用変成器本体を、計器用変圧器、または計器用変流器としたことを特徴とする密閉形スイッチギヤ。
【発明の詳細な説明】
【０００１】
【発明の属する技術分野】
本発明は、計器用変成器とそれを使用した密閉形スイッチギヤに関するものである。
【０００２】
【従来の技術】
図８は、この種の従来の計器用変圧器収納密閉形スイッチギヤの内部構成例を示す側面図である。
【０００３】
図８において、１０１は密閉形スイッチギヤ本体で、ガス室１０２と気中部１０３とで構成されている。
【０００４】
ガス室１０２の中には、計器用変圧器１０４、気密に取付けられた断路器１０５、および気密に取付けられた母線接続ブッシング１０６をそれぞれ収納し、導体１０７でこれらの各機器間を接続し、絶縁ガスであるＳＦ６ガス１０８を密封して絶縁している。
【０００５】
図９は、この種の従来の計器用変流器収納密閉型スイッチギヤの内部構成例を示す側面図である。
【０００６】
図９において、１０９は密閉形スイッチギヤ本体で、ガス室１１０と気中部１１１とで構成されている。
【０００７】
ガス室１１０の中には、計器用変流器１１２、および気密に取付けられた母線接続ブッシング１１３をそれぞれ収納し、導体１１４でこれらの各機器間を接続し、絶縁ガスであるＳＦ６ガス１１５を密封して絶縁している。
【０００８】
ところで、前述したような計器用変圧器、計器用変流器といった計器用変成器を収納した構成の密閉形スイッチギヤにおいては、絶縁ガス自体が高価であることと、その絶縁ガスを封入する気密容器の製作に、多大な時間を要するばかりでなく、熟練した技能が必要となり、結果的に高価な物となっている。
【０００９】
また、絶縁ガスの使用によって気密容器がコンパクトとなり、各機器間を接続する導体等の組立に限界を生じている。
【００１０】
さらに、最近の電力供給の安定化と信頼性向上の観点から、発電機回路を追加したコジェネレイションシステムの導入により、商用電源と発電機回路電源の同期を測定することや回路の保護を行なう目的で、従来の設備に計器用変圧器を追加するため、図８に示すような計器用変圧器収納の密閉形スイッチギヤを増設することが必要となってくる。
【００１１】
しかしながら、この計器用変圧器収納の密閉形スイッチギヤを増設することを見込んでいない場合には、増設スペースがなく列盤増設できずに別置きになり、仮に列盤増設できたとしても側面の点検スペースや通路スペースが確保できなくなることがある。
【００１２】
さらに、既設設備まで搬入する際の搬入寸法制限が小さく、計器用変成器収納密閉形スイッチギヤのガス室と気中部とを分解搬入する必要があり、出荷時の解体と現地再組立とが必要で、結果として工期が長くなっている。
【００１３】
【発明が解決しようとする課題】
以上のように、絶縁ガス（ＳＦ６ガス１０８）を封入することにより小型化を図った、図８、図９に示すような密閉形スイッチギヤにおいては、絶縁ガスが高価なことと、その絶縁ガスを封入する気密容器の製作が容易ではないという問題があった。
【００１４】
また、ＳＦ６ガス絶縁スイッチギヤの主回路部を構成する際には、多くの部品とボルトナットを使用していることから、その組立や検査に多くの時間を要していた。
【００１５】
一方、計器用変圧器収納密閉形スイッチギヤを増設する際には、増設スペースが確保できず別置きにすることで電気室のスペースが狭くなり、既設設備との接続に時間を要して停電時間が長くなり、設備の稼働率が低下するばかりでなく、現地工事費が高くなる等の問題があった。
【００１６】
また、列盤増設できたとしても側面点検スペースが狭くなり、正面から側面を通って背面に回るための点検通路が取れず、反対の側面を通って背面に行かねばならず、保守点検に不都合を生じる等の問題があった。
【００１７】
さらに、搬入制限があり、密閉形スイッチギヤを分解搬入し現地組立することで、現地工事時間を要して停電時間が長くなり、設備の稼働率が低下するばかりでなく、現地工事費が高くなる等の問題もあった。
【００１８】
本発明の目的は、計器用変成器をガス室に収納することなく密閉形スイッチギヤに取付けられるようにし、かつ部品点数を少なくしてコンパクトで安全性および信頼性の高い外層接地付計器用変成器およびそれを用いた密閉形スイッチギヤを提供することにある。
【００１９】
【課題を解決するための手段】
上記の目的を達成するために、本発明の変成器は、絶縁物でモールドした変成器の表面に、接地された導電層を設け、変成器の取付け面の反対側にほぼ平行に、変成器の主回路充電部と接続可能で、かつ導電層から絶縁された少なくとも２つ以上の入力端子を有する構成としている。
【００２０】
また、本発明の変成器は、変成器の表面に、接地された導電層を設け、変成器の取付け面の反対側にほぼ垂直に、変成器の主回路充電部と接続可能で、かつ導電層から絶縁された少なくとも１つ以上の入力端子を有する変成器と、変成器の入力端子と接続可能で、かつ両端に母線接続可能な端子を有する母線接続ユニットとの対で構成している。
【００２１】
さらに、本発明の密閉形スイッチギヤは、変成器の表面に、接地された導電層を設け、変成器の取付け面の反対側にほぼ垂直に、変成器の主回路充電部と接続可能で、かつ固体絶縁物により導電層から絶縁された少なくとも１つ以上の入力端子を有する変成器と、密閉形スイッチギヤ本体に気密に取付けられ、変成器の入力端子を接続可能で、かつ先端に母線接続可能な母線接続ユニットとを対で構成している。
【００２２】
従って、本発明の変成器およびそれを用いた密閉形スイッチギヤにおいては、計器用変成器をガス室に収納することなく密閉形スイッチギヤに取付けられるため、部品点数を少なくしてコンパクトで、安全性および信頼性の高い密閉形スイッチギヤを実現することができる。
【００２３】
【発明の実施の形態】
以下、本発明の実施の形態について図面を参照して詳細に説明する。
【００２４】
（第１の実施の形態）
図１は、本実施の形態による外層接地付計器用変圧器の構成例を示す断面図である。
【００２５】
図１において、固体絶縁物であるエポキシ樹脂でモールドされた計器用変圧器１の外層（表面）に、接地された導電層２を設けている。
【００２６】
また、計器用変圧器１の取付け面３の反対側にほぼ平行に、計器用変圧器１の主回路充電部４と接続可能で、かつ固体絶縁物であるエポキシ樹脂により外層接地から絶縁された少なくとも２つ以上の入力端子（本例では、５ａと５ｂの２つの入力端子）を有する構成としている。
【００２７】
次に、以上のように構成した本実施の形態による外層接地付計器用変圧器においては、計器用変圧器１の外層に、接地された導電層２を設け、さらに計器用変圧器１の取付け面３の反対側にほぼ平行に、計器用変圧器１の主回路充電部４と接続可能で、かつ固体絶縁物であるエポキシ樹脂により外層接地から絶縁された２つの入力端子５ａと５ｂを有する構成とするようにしていることにより、計器用変圧器１の外部絶縁をエポキシ樹脂で行なうことができ、ガス絶縁が不要となるため、ガス室に収納する必要もない。
【００２８】
また、エポキシ樹脂により外層接地から絶縁された入力端子５ａと５ｂを使って、密閉形スイッチギヤの主回路に取付けることができる。
【００２９】
これにより、部品点数を少なくしてコンパクトで安全性および信頼性の高い外層接地付計器用変圧器を実現することができる。
【００３０】
さらに、既設設備まで搬入する際の搬入寸法制限が小さくとも、作業員が通れる寸法があれば搬入することが可能であるため、出荷時の解体と現地再組立とが不要となり、工期を短くすることができる。
【００３１】
上述したように、本実施の形態では、密閉形スイッチギヤに使用する計器用変圧器として、母線接続可能な端子５ａと５ｂを有しかつ計器用変圧器１の外層に接地された導電層２を設ける構成とするようにしているので、計器用変圧器１をガス室に収納することなく密閉形スイッチギヤに取付けられるため、部品点数を少なくしてコンパクトで安全性および信頼性の高い外層接地付計器用変圧器を得ることが可能となる。
【００３２】
また、既設設備まで搬入する際の搬入寸法制限が小さくとも、作業員が通れる寸法があれば搬入することが可能であるため、出荷時の解体と現地再組立とが不要となり、工期を短くすることが可能となる。
【００３３】
（第２の実施の形態）
図２は本実施の形態による列盤された密閉形スイッチギヤの構成例を示す平面図、図３は本実施の形態による列盤された密閉形スイッチギヤの構成例を示す正面図（図２の矢視Ａ−Ａ）の一部であり、図１と同一要素には同一符号を付して示している。
【００３４】
すなわち、本実施の形態による密閉形スイッチギヤは、図２および図３に示すように、前記第１の実施の形態の外層接地付計器用変圧器（以下、計器用変圧器１として説明する）を、密閉形スイッチギヤ６の母線７の相間寸法に合わせて当該母線７に接続した構成としている。
【００３５】
さらに、図３に示すように、図２における矢視Ａ−Ａ方向から見ると、計器用変圧器１を、密閉形スイッチギヤ６の母線７と高さも合わせて接続した構成としている。
【００３６】
次に、以上のように構成した本実施の形態による密閉形スイッチギヤにおいては、計器用変圧器１の取付けを、密閉形スイッチギヤ６の母線７の相間寸法に合わせて行なうようにしていることにより、増設する計器用変圧器１と既設設備の密閉形スイッチギヤ６との接続が母線７によって容易に行なえるため、作業時間を短縮して停電時間を短くすることができ、よって設備の稼働率を極端に低下せずに済み、現地工事費の高騰を抑制することができる。
【００３７】
また、側壁８ぎりぎりまで計器用変圧器１を接近しても、下部にメンテナンス通路９を確保できるため、保守点検を容易に行なうことができる。
【００３８】
上述したように、本実施の形態では、計器用変成器１の取付けを、密閉形スイッチギヤ６の母線７の相間寸法に合わせるようにしているので、既設設備との接続が容易に行なえるため、作業時間を短縮して停電時間を短くすることができる。
これにより、設備の稼働率を極端に低下せずに済み、現地工事費の高騰を抑制することが可能となる。
【００３９】
（第３の実施の形態）
図４は、本実施の形態による密閉形スイッチギヤの構成例を示す側面図（図２の矢視Ｂ−Ｂ）であり、図２および図３と同一要素には同一符号を付してその説明を省略し、ここでは異なる部分についてのみ述べる。
【００４０】
すなわち、本実施の形態による密閉形スイッチギヤは、図４に示すように、前記第２の実施の形態における計器用変圧器１を、密閉形スイッチギヤ６の天井部１０に配置した構成としている。
【００４１】
次に、以上のように構成した本実施の形態による密閉形スイッチギヤにおいては、計器用変圧器１を、密閉形スイッチギヤ６の天井部１０に配置するようにしていることにより、側面増設スペースが不要になり、側面点検や点検通路を確保できるため、保守点検に不都合を生じることがなくなる。
【００４２】
上述したように、本実施の形態では、計器用変圧器１を、密閉形スイッチギヤ６の天井部１０に配置するようにしているので、側面増設スペースが不要になり、側面点検や点検通路を確保できるため、保守点検に不都合を生じるのをなくすることが可能となる。
【００４３】
（第４の実施の形態）
図５は、本実施の形態による外層接地付計器用変圧器の構成例を示す側面図である。
【００４４】
図５において、固体絶縁物であるエポキシ樹脂でモールドされた計器用変圧器１１の外層（表面）に、接地された導電層１２を設けている。
【００４５】
また、計器用変圧器１１の取付け面１３の反対側にほぼ垂直に、計器用変圧器１１の主回路充電部と接続可能で、かつ固体絶縁物であるエポキシ樹脂により外層接地から絶縁された少なくとも１つ以上の入力端子（本例では、１４の１つの入力端子）を有する計器用変圧器１１と、この計器用変圧器１１の入力端子１４と接続可能で、かつ両端に母線接続可能な端子を有する母線接続ユニット１５との対で構成し、柔軟ゴム１６で接続した構成としている。
【００４６】
次に、以上のように構成した本実施の形態による外層接地付計器用変圧器においては、計器用変圧器１１の外層に、接地された導電層１２を設け、さらに計器用変圧器１１の取付け面１３の反対側にほぼ垂直に、計器用変圧器１１の主回路充電部と接続可能で、かつ固体絶縁物であるエポキシ樹脂により外層接地から絶縁された１つの入力端子１４を有する計器用変圧器１１と、この計器用変圧器１１の入力端子１４と接続可能で、かつ両端に母線接続可能な端子を有する母線接続ユニット１５との対で構成するようにしていることにより、計器用変圧器１１の外部をＳＦ６ガスに頼ることなく絶縁することができるため、ガス室に収納する必要がなく、計器用変圧器収納密閉形スイッチギヤを専用に設ける必要もなくなる。
【００４７】
これにより、部品点数を少なくしてコンパクトで安全性および信頼性の高い計器用変圧器を実現することができる。
【００４８】
また、既設設備まで搬入する際の搬入寸法制限が小さくとも、作業員が通れる寸法があれば搬入することが可能であるため、出荷時の解体と現地再組立とが不要となり、工期を短くすることができる。
【００４９】
上述したように、本実施の形態では、密閉形スイッチギヤに使用する計器用変圧器として、母線接続可能な端子１４を有しかつ計器用変圧器１１の外層に接地された導電層１２を設け、かつ両端に母線接続可能な端子を有する母線接続ユニット１５との対で構成するようにしているので、計器用変圧器１１をガス室に収納することなく密閉形スイッチギヤに取付けられるため、部品点数を少なくしてコンパクトで安全性および信頼性の高い外層接地付計器用変圧器を得ることが可能となる。
【００５０】
また、既設設備まで搬入する際の搬入寸法制限が小さくとも、作業員が通れる寸法があれば搬入することが可能であるため、出荷時の解体と現地再組立とが不要となり、工期を短くすることが可能となる。
【００５１】
（第５の実施の形態）
図５は、本実施の形態による密閉形スイッチギヤの構成例を示す側面図である。
【００５２】
すなわち、本実施の形態による密閉形スイッチギヤは、図５に示すように、前記第４の実施の形態の計器用変圧器１１を、密閉形スイッチギヤ１７の母線の相間寸法に合わせて当該母線に接続した構成としている。
【００５３】
次に、以上のように構成した本実施の形態による密閉形スイッチギヤにおいては、計器用変圧器１１の取付けを、密閉形スイッチギヤ１７の母線の相間寸法に合わせて行なうようにしていることにより、工場での商用周波耐電圧試験電圧を計器用変圧器１１に印加できないことで母線から切り離す場合や、計器用変圧器１１が故障して母線から切り離す場合に、計器用変圧器１１が列盤された密閉形スイッチギヤ１７の中間に位置する場合には、その両端の母線の間に母線接続ユニット１５が有るため、母線を抜き差しすることなく計器用変圧器１１を母線から切り離すことができ、試験用母線や試験用母線接続ユニットが不要となり、試験時間の短縮化を図ることができる。
【００５４】
上述したように、本実施の形態では、計器用変成器１１の取付けを、密閉形スイッチギヤ１７の母線の相間寸法に合わせるようにしているので、試験用母線や試験用母線接続ユニットが不要となり、試験時間の短縮化を図ることが可能となる。
【００５５】
（第６の実施の形態）
図６は、本実施の形態による密閉形スイッチギヤの構成例を示す側面図の一部である。
【００５６】
図６において、固体絶縁物であるエポキシ樹脂でモールドされた計器用変圧器１１の外層（表面）に、接地された導電層１２を設けている。
【００５７】
また、計器用変圧器１１の取付け面１３の反対側にほぼ垂直に、計器用変圧器１１の主回路充電部と接続可能で、かつ固体絶縁物であるエポキシ樹脂により外層接地から絶縁された少なくとも１つ以上の入力端子（本例では、１４の１つの入力端子）を有する計器用変圧器１１と、密閉形スイッチギヤ１８に気密に取付けられ、計器用変圧器１１の入力端子１４と接続可能で、かつ先端に母線接続可能な端子を有する母線接続ユニット１９とを対で構成し、柔軟ゴム１６で接続した構成としている。
【００５８】
次に、以上のように構成した本実施の形態による外層接地付計器用変圧器においては、計器用変圧器１１の外層に、接地された導電層１２を設け、さらに計器用変圧器１１の取付け面１３の反対側にほぼ垂直に、計器用変圧器１１の主回路充電部と接続可能で、かつ固体絶縁物であるエポキシ樹脂により外層接地から絶縁された１つの入力端子１４を有する計器用変圧器１１と、密閉形スイッチギヤ１８に気密に取付けられ、計器用変圧器１１の入力端子１４と接続可能で、かつ先端に母線接続可能な端子を有する母線接続ユニット１９とを対で構成するようにしていることにより、計器用変圧器１１をガス室に収納することなく密閉形スイッチギヤ１８に取付けられるため、部品点数を少なくしてコンパクトで、安全性および信頼性の高い外層接地付計器用変圧器を実現することができる。
【００５９】
また、既設設備まで搬入する際の搬入寸法制限が小さくとも、作業員が通れる寸法があれば搬入することが可能であるため、出荷時の解体と現地再組立とが不要となり、工期を短くすることができる。
【００６０】
上述したように、本実施の形態では、密閉形スイッチギヤに使用する計器用変圧器として、母線接続可能な端子１４を有しかつ計器用変圧器１１の外層に接地された導電層１２を設け、かつ両端に母線接続可能な端子を有する母線接続ユニット１９との対で構成するようにしているので、計器用変圧器１１をガス室に収納することなく密閉形スイッチギヤに取付けられるため、部品点数を少なくしてコンパクトで安全性および信頼性の高い外層接地付計器用変圧器を得ることが可能となる。
【００６１】
また、既設設備まで搬入する際の搬入寸法制限が小さくとも、作業員が通れる寸法があれば搬入することが可能であるため、出荷時の解体と現地再組立とが不要となり、工期を短くすることが可能となる。
【００６２】
（第７の実施の形態）
図７は、本実施の形態による外層接地付計器用変流器の構成例を示す側面図である。
【００６３】
図７において、固体絶縁物であるエポキシ樹脂でモールドされた計器用変流器２０の外層（表面）に、接地された導電層２１を設けている。
【００６４】
また、計器用変流器２０の取付け面２２の反対側にほぼ平行に、計器用変流器２０の主回路充電部２３ａと２３ｂと接続可能で、かつ固体絶縁物であるエポキシ樹脂により外層接地から絶縁された少なくとも２つ以上の入力端子（本例では、２４ａと２４ｂの２つの入力端子）を有する構成としている。
【００６５】
次に、以上のように構成した本実施の形態による外層接地付計器用変流器においては、計器用変流器２０の外層に、接地された導電層２１を設け、さらに計器用変流器２０の取付け面２２の反対側にほぼ平行に、計器用変流器２０の主回路充電部２３ａと２３ｂと接続可能で、かつ固体絶縁物であるエポキシ樹脂により外層接地から絶縁された２つの入力端子２４ａと２４ｂを有する構成とするようにしていることにより、計器用変流器２０の外部絶縁をエポキシ樹脂で行なうことができ、ガス絶縁が不要となるため、ガス室に収納する必要もない。
【００６６】
また、エポキシ樹脂により外層接地から絶縁された入力端子５ａと５ｂを使って、密閉形スイッチギヤの主回路に取付けることができる。
【００６７】
これにより、部品点数を少なくしてコンパクトで安全性および信頼性の高い外層接地付計器用変圧器を実現することができる。
【００６８】
さらに、既設設備まで搬入する際の搬入寸法制限が小さくとも、作業員が通れる寸法があれば搬入することが可能であるため、出荷時の解体と現地再組立とが不要となり、工期を短くすることができる。
【００６９】
上述したように、本実施の形態では、密閉形スイッチギヤに使用する計器用変流器として、母線接続可能な端子２４ａと２４ｂを有しかつ計器用変流器２０の外層に接地された導電層２１を設ける構成とするようにしているので、計器用変流器２０をガス室に収納することなく密閉形スイッチギヤに取付けられるため、部品点数を少なくしてコンパクトで安全性および信頼性の高い外層接地付計器用変流器を得ることが可能となる。
【００７０】
また、既設設備まで搬入する際の搬入寸法制限が小さくとも、作業員が通れる寸法があれば搬入することが可能であるため、出荷時の解体と現地再組立とが不要となり、工期を短くすることが可能となる。
【００７１】
（その他の実施の形態）
尚、本発明は、上記各実施の形態に限定されるものではなく、実施段階ではその要旨を逸脱しない範囲で、種々に変形して実施することが可能である。
例えば、前記第７の実施の形態においては、前記第１の実施の形態における計器用変圧器を、計器用変流器とした構成とする場合について説明したが、これに限らず、前記第２乃至第６の実施の形態における計器用変圧器を、計器用変流器とした構成とすることもできる。
【００７２】
かかる構成においても、前記第２乃至第６の実施の形態で説明したのと同様の作用効果を奏することが可能である。
【００７３】
また、上記各実施の形態は可能な限り適宜組み合わせて実施してもよく、その場合には組み合わせた作用効果を得ることができる。
さらに、上記各実施の形態には種々の段階の発明が含まれており、開示される複数の構成要件における適宜な組み合わせにより、種々の発明を抽出することができる。
例えば、上記各実施の形態に示される全構成要件から幾つかの構成要件が削除されても、発明が解決しようとする課題の欄で述べた課題（の少なくとも一つ）が解決でき、発明の効果の欄で述べられている効果（の少なくとも一つ）が得られる場合には、この構成要件が削除された構成を発明として抽出することができる。
【００７４】
【発明の効果】
以上説明したように、本発明の外層接地付計器用変成器およびそれを用いた密閉形スイッチギヤによれば、変成器をガス室に収納することなく密閉形スイッチギヤに取付けられるため、部品点数を少なくしてコンパクトで安全性および信頼性を高くすることが可能となる。
【図面の簡単な説明】
【図１】本発明の第１の実施の形態による外層接地付計器用変圧器の構成例を示す断面図。
【図２】本発明の第２の実施の形態による列盤された密閉形スイッチギヤの構成例を示す平面図。
【図３】本発明の第２の実施の形態による列盤された密閉形スイッチギヤの構成例を示す正面図（矢視Ａ−Ａ）。
【図４】本発明の第３の実施の形態による密閉形スイッチギヤの構成例を示す側面図（図２の矢視Ｂ−Ｂ）。
【図５】本発明の第４および第５の実施の形態による外層接地付計器用変圧器および密閉形スイッチギヤの構成例を示す側面図。
【図６】本発明の第６の実施の形態による密閉形スイッチギヤの構成例を示す側面図の一部。
【図７】本発明の第７の実施の形態による外層接地付計器用変流器の構成例を示す側面図。
【図８】従来の計器用変圧器収納密閉形スイッチギヤの内部構成例を示す側面図。
【図９】従来の計器用変流器収納密閉型スイッチギヤの内部構成例を示す側面図。
【符号の説明】
１，１１，１０４…計器用変圧器
２，１２，２１…接地された導電層
３，１３，２２…取付け面
４，２３ａ，２３ｂ…主回路充電部
５ａ，５ｂ１４，２４ａ，２４ｂ…入力端子
６，１７，１８…密閉形スイッチギヤ
７…母線
１０…天井部
１５，１９…母線接続ユニット
１６…柔軟ゴム
２０，１１２…計器用変流器
１０１，１０９…密閉形スイッチギヤ本体
１０２，１１０…ガス室
１０３，１１１…気中部
１０５…断路器
１０６，１１３…母線接続ブッシング
１０７，１１４…導体
１０８，１１５…ＳＦ６ガス。
【図１】
2004128268.tif 000003
【図２】
2004128268.tif 000004
【図３】
2004128268.tif 000005
【図４】
2004128268.tif 000006
【図５】
2004128268.tif 000007
【図６】
2004128268.tif 000008
【図７】
2004128268.tif 000009
【図８】
2004128268.tif 000010
【図９】
2004128268.tif 000011